(57)【要約】      （修正有）【課題】手軽に携帯しやすく、かつ、製造コストを抑えることができる札入れを提供する。【解決手段】札入れ１０は、平面略長方形状の紙幣カバー部２と、針金状の紙幣挟着クリップ部３とを備えている。紙幣カバー部２は、長さ方向中間部において、長さ方向に沿って二つ折りができる折曲部２１が形成されている。紙幣カバー部２の折曲部２１に、紙幣挟着クリップ部３が取り付けられている。紙幣挟着クリップ部３は、紙幣カバー部２の背面側に配置される固定部と、紙幣カバー部２の前面側に配置される押圧部とを有している。紙幣挟着クリップ部３は、固定部により紙幣カバー部２の折曲部２１に係合固定され、押圧部により紙幣が紙幣カバー部２に対して押圧固定される。【選択図】図１
0003171228.tif 000002
【実用新案登録請求の範囲】
【請求項１】
平面略長方形状に形成され、長さ方向中間部に形成された折曲部において長さ方向に沿って二つ折りできる紙幣カバー部と、前記折曲部に取り付けられた紙幣挟着クリップ部とを備えた札入れであって、
前記紙幣挟着クリップ部は、針金状に形成されており、前記紙幣カバー部の背面側に配置され前記紙幣カバー部に係合固定される固定部と、前記紙幣カバー部の前面側に配置され紙幣を前記紙幣カバー部に対して押圧固定しうる押圧部とを有することを特徴とする札入れ。
【請求項２】
前記固定部は、前記紙幣カバー部の背面側に固定される直線部と、前記直線部の一端部に折曲形成され、前記紙幣カバー部の前記折曲部幅方向上端部に係合するＪ字状係合片部と、前記直線部の他端部に折曲形成され、前記紙幣カバー部の前記折曲部幅方向下端部に係合するＵ字状係合片部とを備えると共に、前記押圧部は、前記Ｕ字状係合片部に連設された押圧片部を備えたことを特徴とする請求項１に記載の札入れ。
【請求項３】
前記紙幣カバー部は、前記折曲部を介した長さ方向一半部に、該紙幣カバー部の上方および内方に開口する紙幣収納ポケット部が設けられると共に、前記折曲部を介した長さ方向他半部に名刺入れ部が設けられ、
前記名刺入れ部は、平面略長方形状に形成され、幅方向一端部が前記紙幣カバー部の長さ方向他半部の下端部に、前記紙幣カバー部の幅方向に沿って折畳み可能に連設され、
紙幣収納時には、紙幣の長さ方向一半部が前記紙幣収納ポケット部に収納されると共に、紙幣の長さ方向他半部が前記紙幣カバー部および前記名刺入れ部の間に把持されることを特徴とする請求項１に記載の札入れ。
【請求項４】
前記名刺入れ部は、フラップ状の板部材として形成され、片面側に名刺固定ベルトが設けられたことを特徴とする請求項３に記載の札入れ。
【請求項５】
前記紙幣カバー部の長さ方向両端部に、二つ折り時に長さ方向一半部および長さ方向他半部を固定しうる固定部材が設けられたことを特徴とする請求項１に記載の札入れ。
【考案の詳細な説明】
【技術分野】
【０００１】
本考案は、札入れに係り、特に、紙幣を収納することができる二つ折りの札入れに関する。
【背景技術】
【０００２】
従来、二つ折りの札入れ（財布）として、紙幣収納部が袋状に形成された札入れが開示されている（特許文献１参照）。
また、二つ折りできる紙幣カバーの折曲部に挿入部（筒部）を設け該挿入部にクリップ部材が挿入されて取り付けられた札入れが開示されている（特許文献２参照）。
更に、紙幣を種類別に区別して収納できるように、２枚の紙幣カバーの折曲部に設けられた挿入部に、紙幣を押圧固定できる押圧部を２本備えた起伏自在のクリップ部材が挿入されて取り付けられた札入れも開示されている（特許文献３参照）。
【考案の開示】
【考案が解決しようとする課題】
【０００３】
しかしながら、特許文献１の技術では、紙幣収納部が袋状に形成されているため紙幣の脱落を防止することができるものの、二つ折りにすると全体の厚みが厚くなるため、ポケットや鞄等に収納する際に嵩張ることが多く、携帯に不便である。
【０００４】
また、クリップ部材により紙幣を挟着する特許文献２、特許文献３の技術では、いずれも、紙幣収納部が袋状に形成された特許文献１の技術と比較して、二つ折りにしたときの厚みが薄く嵩張りが軽減されるものの、紙幣カバーにクリップ部材を挿入するための挿入部を設けることにより縫製等が複雑となるため、紙幣カバーの製造コストが嵩む、という問題がある。
【０００５】
更に、特許文献３の技術では、クリップ部材に紙幣を押圧固定できる押圧部が２本形成されると共に、クリップ部材を起伏自在とするためにスプリング等が内蔵されているため、クリップ部材自体の製造コストも嵩むこととなる。
【特許文献１】実用新案登録第３１２６２９４号公報
【特許文献２】実用新案登録第３０５２５２３号公報
【特許文献３】実用新案登録第３１４４７０７号公報
【０００６】
本考案は、手軽に携帯しやすく、かつ、製造コストを抑えることができる札入れを提供することを課題とする。
【課題を解決するための手段】
【０００７】
上記課題を解決するために、請求項１の考案にかかる札入れは、平面略長方形状に形成され、長さ方向中間部に形成された折曲部において長さ方向に沿って二つ折りできる紙幣カバー部と、前記折曲部に取り付けられた紙幣挟着クリップ部とを備えた札入れであって、前記紙幣挟着クリップ部は、針金状に形成されており、前記紙幣カバー部の背面側に配置され前記紙幣カバー部に係合固定される固定部と、前記紙幣カバー部の前面側に配置され紙幣を前記紙幣カバー部に対して押圧固定しうる押圧部とを有することを特徴とする。
【０００８】
従って、紙幣は押圧部により、紙幣カバー部に対して押圧固定されて紙幣カバー部に収納される。
【０００９】
請求項２の考案にかかる札入れは、前記固定部が、前記紙幣カバー部の背面側に固定される直線部と、前記直線部の一端部に折曲形成され、前記紙幣カバー部の前記折曲部幅方向上端部に係合するＪ字状係合片部と、前記直線部の他端部に折曲形成され、前記紙幣カバー部の前記折曲部幅方向下端部に係合するＵ字状係合片部とを備えると共に、前記押圧部は、前記Ｕ字状係合片部に連設された押圧片部を備えたことを特徴とする。
【００１０】
請求項３の考案にかかる札入れは、前記紙幣カバー部において、前記折曲部を介した長さ方向一半部に、該紙幣カバー部の上方および内方に開口する紙幣収納ポケット部が設けられると共に、前記折曲部を介した長さ方向他半部に名刺入れ部が設けられ、前記名刺入れ部は、平面略長方形状に形成され、幅方向一端部が前記紙幣カバー部の長さ方向他半部の下端部に、前記紙幣カバー部の幅方向に沿って折畳み可能に連設され、紙幣収納時には、紙幣の長さ方向一半部が前記紙幣収納ポケット部に収納されると共に、紙幣の長さ方向他半部が前記紙幣カバー部および前記名刺入れ部の間に把持されることを特徴とする。
【００１１】
従って、紙幣は、紙幣挟着クリップ部の固定部により長さ方向中間部で固定されると共に、長さ方向一半部および長さ方向他半部が紙幣収納ポケット部および名刺入れ部により紙幣カバー部との間に把持された状態で収納される。
【００１２】
請求項４の考案にかかる札入れは、フラップ状の板部材として形成され、片面側に名刺固定ベルトが設けられたことを特徴とする。
【００１３】
従って、名刺入れ部および名刺固定ベルトの間に複数の名刺やカード等を挟み収納することができる。
【００１４】
請求項５の考案にかかる札入れは、前記紙幣カバー部の長さ方向両端部に、二つ折り時に長さ方向一半部および長さ方向他半部を固定しうる固定部材が設けられたことを特徴とする。
【００１５】
従って、紙幣カバー部の長さ方向両端部に固定部材が設けられたことで、紙幣カバー部を折曲部で二つ折りにしたときに、紙幣カバー部の長さ方向一半部および長さ方向他半部が固定される。
【考案の効果】
【００１６】
請求項１の考案にあっては、紙幣挟着クリップ部が針金状に形成されている。従って、従来の札入れと比較して、紙幣挟着クリップ部の製造コストを低減させることができる。
【００１７】
また、請求項１の考案にあっては、紙幣挟着クリップ部が、紙幣カバー部に係合固定される固定部と、紙幣カバー部に対して押圧固定しうる押圧部とを有している。
従って、固定部により紙幣挟着クリップ部を紙幣カバー部に確実に固定することができ、かつ、押圧部により紙幣カバー部に対して紙幣が押圧固定されるので確実に紙幣を挟み込み収納することができる。
【００１８】
請求項２の考案にあっては、固定部が、直線部と、直線部の一端部に折曲形成されたＪ字状係合片部と、直線部の他端部に折曲形成されたＵ字状係合片部とを備えている。
従って、Ｊ字状係合片部およびＵ字状係合片部が紙幣カバー部に係合することにより、紙幣挟着クリップ部を紙幣カバー部に確実に係合固定することができる。
その結果、請求項２の考案にかかる札入れは、紙幣カバーにクリップ部材を挿入するための挿入部が形成された従来の札入れのように、紙幣カバーに複雑な縫製を施して挿入部を形成する必要がなく、紙幣挟着クリップを紙幣カバー部に確実に係合固定することできるため、製造コストを低減させることができる。
【００１９】
また、請求項２の考案にあっては、押圧部がＵ字状係合片部に連設された押圧片部を備えたことで、押圧片部により紙幣が紙幣カバー部に対して押圧固定されるので確実に紙幣を挟み込み収納することができる。
【００２０】
請求項３の考案にあっては、紙幣カバー部において、折曲部を介した長さ方向一半部に紙幣収納ポケット部が設けられると共に、折曲部を介した長さ方向他半部に名刺入れ部が設けられている。
従って、紙幣収納時に、紙幣の長さ方向一半部が紙幣収納ポケット部に収納されると共に、紙幣の長さ方向他半部が紙幣カバー部および名刺入れ部の間に把持される。
この結果、紙幣は、紙幣収納ポケット部および名刺入れ部と、紙幣カバー部との間に保持されるため、従来の札入れに比して、札入れの紙幣収納保持性を確保することができると共に、紙幣の破損等も防止することができる。
【００２１】
請求項４の考案にあっては、名刺入れ部がフラップ状の板部材に形成されたことで、名刺入れ部および紙幣カバー部を折畳み、札入れをポケットや鞄等に収納した際に嵩張らず、手軽に携帯することができる。
また、名刺入れ部の少なくとも片面に名刺固定ベルトが設けられたことで、名刺入れ部および名刺固定ベルトの間に複数の名刺やカード等を挟み収納することができる。
【００２２】
請求項５の考案にあっては、紙幣カバー部の長さ方向両端部に固定部材が設けられたことで、紙幣カバー部を折曲部で二つ折りにしたときに、紙幣カバー部の長さ方向一半部および長さ方向他半部が固定されるため、折畳み状態を維持することができ、より確実に紙幣を収納することができる。
【図面の簡単な説明】
【００２３】
【図１】本考案を適用した実施形態の札入れの紙幣カバー部を開いた状態を示す平面図である。
【図２】本考案を適用した実施形態の札入れの紙幣カバー部および名刺入れ部を開いた状態を示す平面図である。
【図３】本考案を適用した実施形態の札入れの紙幣挟着クリップ部を示す拡大側面図である。
【図４】本考案を適用した実施形態の札入れの紙幣カバー部から紙幣挟着クリップ部を取り外した状態を示す斜視図である。
【考案を実施するための最良の形態】
【００２４】
以下、図面を参照して、本考案を適用した札入れの実施の形態について説明する。
【００２５】
（構成）
図１および図２に示すように、本実施形態の札入れ１０は、全体皮革製であって、平面略長方形状に形成された、紙幣を内側へ収納するための紙幣カバー部２と、針金を折曲加工することで形成された、紙幣を挟み込むための紙幣挟着クリップ部３とを備えている。
紙幣カバー部２は、長さ方向中間部において、長さ方向に沿って二つ折りができるように折曲部２１が形成されている。紙幣カバー部２の折曲部２１に、紙幣挟着クリップ部３が取り付けられている。
【００２６】
ここで、紙幣挟着クリップ部３について説明する。
図３に示すように、紙幣挟着クリップ部３は、針金状に形成されており、紙幣カバー部２の背面部に配置される固定部３１と、紙幣カバー部２の前面（内面）側に配置される押圧部３２とを有している。
固定部３１は、紙幣カバー部２の折曲部２１背面側に係合固定される。固定部３１は、直線部３１２と、直線部３１２の一端部に折曲形成されたＪ字状係合片部３１１と、直線部３１２の他端部に折曲形成されたＵ字状係合片部３１３とを備えている。
Ｊ字状係合片部３１１が紙幣カバー部２の折曲部２１幅方向上端部に、Ｕ字状係合片部３１３が紙幣カバー部２の折曲部２１幅方向下端部にそれぞれ係合固定され、直線部３１２が紙幣カバー部２の背面部に配置固定される。
また、押圧部３２は、Ｕ字状係合片部３１３に連設され、側面略S字状に形成された押圧片部３２１を備えており、紙幣を紙幣カバー部２に対して押圧固定することができる。
【００２７】
図４に示すように、本実施形態にあっては、紙幣カバー部２の折曲部２１の幅方向上端部に貫通穴２１１が形成され、紙幣カバー部２の折曲部２１の幅方向下端部に凹部２１２が形成されている。
紙幣挟着クリップ３のＪ字状係合片部３１１が貫通穴２１１に挿通されることで係合固定され、紙幣挟着クリップ３のＵ字状係合片部３１３が凹部２１２に嵌合されることで係合固定される。
この結果、紙幣挟着クリップ部３が紙幣カバー部２の長さ方向にずれることなく紙幣挟着クリップ部３が折曲部２１に確実に固定される。
【００２８】
図１および図２に示すように、紙幣カバー部２は、折曲部２１を介した長さ方向一半部に、紙幣収納ポケット部４が設けられている。
紙幣収納ポケット部４は、紙幣カバー部２と同じ皮革で形成されている。紙幣収納ポケット部４は、紙幣カバー部２の上方が弧状に形成され、かつ、紙幣カバー部２の内方に向かって幅寸法が縮小された略台形状に形成されている。
紙幣収納ポケット部４は、紙幣カバー部２の下端部４ａおよび外側端部４ｂで紙幣カバー部２に縫合され、紙幣カバー部２の上方および内方に開口するように形成されている。
また、折曲部２１を介した長さ方向他半部に、名刺入れ部５が設けられている。
【００２９】
名刺入れ部５は、平面略長方形の板部材として、紙幣カバー部２と同じ皮革で形成されている。名刺入れ部５は、幅方向一端部が紙幣カバー部２の長さ方向他半部の下端部に、紙幣カバー部２の幅方向に沿って、紙幣カバー部２と一体に形成され、折り目部５２を介して折畳み可能な、フラップ状に連設されている。
図２に示すように、名刺入れ部５の裏面側には、略全域に亘って名刺固定ベルト５１が設けられている。名刺固定ベルト５１は、紙幣カバー部２と同じ皮革で形成されている。名刺入れ部５および名刺固定ベルト５１の間に名刺やカード等を挟み収納することができる。
【００３０】
紙幣収納時には、紙幣の長さ方向中間部が紙幣挟着クリップ部２１により挟着されると共に、紙幣の長さ方向一半部が紙幣収納ポケット部４に収納され、かつ、紙幣の長さ方向他半部が紙幣カバー部２の長さ方向他半部および名刺入れ部５の間に把持される。
【００３１】
紙幣カバー部２の長さ方向両端部に、固定部材としてのホック６が設けられている。ホック６は、オスホックおよびメスホックにより構成されており、本実施形態にあっては、紙幣カバー部２の長さ方向一端部にメスホック、長さ方向他端部にオスホックが取り付けられている。
ホック６により、紙幣カバー部２を折曲部２１で二つ折りにしたときに、長さ方向一半部および長さ方向他半部が固定され、折畳み状態が維持される。
【００３２】
（作用）
次に、本実施形態の札入れ１０の作用等について説明する。
本実施形態の札入れ１０を使用する場合には、紙幣カバー部２の上方から、紙幣を幅方向に沿って収納する。
紙幣収納時には、紙幣の長さ方向中間部が紙幣挟着クリップ部２１により挟着されると共に、紙幣の長さ方向一半部が紙幣収納ポケット部４に収納され、かつ、紙幣の長さ方向他半部が紙幣カバー部２の長さ方向他半部および名刺入れ部５の間に把持される。
紙幣収納後には、紙幣を内側にして、紙幣カバー部２を折曲部２１で二つ折りにし、ホック６により紙幣カバー部２の長さ方向一半部および長さ方向他半部が固定してポケット等に収納して使用する。
【００３３】
本実施形態の札入れ１０は、紙幣挟着クリップ部３が針金を折曲加工することにより形成されている。従って、従来のものと比較して、紙幣挟着クリップ部３の製造コストを低減させることができる。
【００３４】
また、本実施形態の札入れ１０は、紙幣カバー部３に係合固定される固定部３１と、紙幣カバー部２に対して押圧固定しうる押圧部３２とを有している。      
従って、固定部３１により紙幣挟着クリップ部３を紙幣カバー部２に確実に固定することができ、かつ、押圧部３２により紙幣カバー部２に対して紙幣が押圧固定されるので確実に紙幣を挟み込み収納することができる。
【００３５】
更に、本実施形態の札入れ１０は、固定部３１が、直線部３１２と、直線部３１２の一端部に折曲形成されたＪ字状係合片部３１１と、直線部３１２の他端部に折曲形成されたＵ字状係合片部３１３とを備えている。
従って、Ｊ字状係合片部３１１およびＵ字状係合片部３１３が紙幣カバー部２に係合することにより、紙幣挟着クリップ部３が紙幣カバー部２に確実に係合固定される。
【００３６】
また更に、本実施形態の札入れ１０は、紙幣カバー部２の貫通穴２１１にＪ字状係合片部３１１が貫通され、紙幣カバー部２の凹部２１２にＵ字状係合片部３１３が嵌合されることで、紙幣挟着クリップ部３が紙幣カバー部２に係合固定されている。
従って、紙幣挟着クリップ部３が紙幣カバー部２の長さ方向にずれることが防止され、紙幣挟着クリップ部３を折曲部２１により確実に固定することができる。
【００３７】
更にまた、本実施形態の札入れ１０は、押圧部３２がＵ字状係合片部３１３に連設された押圧片部３２１を備えたことで、押圧片部３２１により紙幣が押圧固定されるので確実に紙幣を挟み込み収納することができる。
【００３８】
また、本実施形態の札入れ１０は、紙幣カバー部２において、折曲部２１を介した長さ方向一半部に紙幣収納ポケット部４が設けられると共に、折曲部２１を介した長さ方向他半部に名刺入れ部５が設けられている。
従って、紙幣収納時に、紙幣の長さ方向一半部が紙幣収納ポケット部４に収納されると共に、紙幣の長さ方向他半部が紙幣カバー部２および名刺入れ部５の間に把持される。
【００３９】
更に、本実施形態の札入れ１０は、紙幣収納ポケット部４が、紙幣カバー部２の下方および外方で紙幣カバー部２に縫合され、紙幣カバー部２の上方および内方で開口されている。
また、名刺入れ部５が紙幣カバー部２の幅方向に沿って、折り目部５２を介して折畳み可能に連設されている。
従って、紙幣カバー部２および名刺入れ部５を開くことで、紙幣を紙幣収納ポケット部４に素早くに収納、または、取り出すことができる。
【００４０】
また更に、本実施形態の札入れ１０は、紙幣収納ポケット部４が、紙幣カバー部２の内方に向かって幅が縮小された略台形状に形成されている。従って、札入れ１０に収納された紙幣を指でつまみやすく、素早く紙幣を出し入れすることができる。
【００４１】
更にまた、本実施形態の札入れ１０は、名刺入れ部５がフラップ状の板部材として形成されたことで、名刺入れ部５および紙幣カバー部２を折畳み、札入れ１０をポケットや鞄等に収納した際に嵩張らないので、手軽に携帯することができる。
また、本実施形態の札入れ１０は、名刺入れ部５の少なくとも片面に名刺固定ベルト５１が設けられたことで、名刺入れ部５および名刺固定ベルト５１の間に複数の名刺やカード等を挟み収納することができる。
【００４２】
更に、本実施形態の札入れ１０は、紙幣カバー部２の長さ方向両端部にホック部６が取り付けられたことで、紙幣カバー部２を折曲部２１で二つ折りにしたときに、紙幣カバー部２の長さ方向一半部および長さ方向他半部を固定することができる。
【００４３】
なお、本実施形態では、紙幣カバー部２、紙幣収納ポケット部４、名刺入れ部５、名刺固定ベルト５１がいずれも皮革で形成された例を示したが本考案はこれに限定されない。例えば、合成皮革、布またはプラスチック等で形成してもよい。
また、本実施形態では、紙幣カバー部２、紙幣収納ポケット部４、名刺入れ部５、名刺固定ベルト５１が同じ材質で形成された例を示したが本考案はこれに限定されるものではなく、それぞれ異なる材質で形成してもよい。
【００４４】
また、本実施形態では、紙幣収納ポケット部２が、紙幣カバー部２の内方に向かって幅が縮小された略台形状に形成された例を示したが、本考案はこれに限定されるものではない。
例えば、紙幣収納ポケット部２が略扇状や略長方形状に形成されていてもよい。
【００４５】
更に、本実施形態では、名刺入れ部５の一面側に名刺固定ベルト５１が取り付けられた例を示したが、本考案はこれに限定されるものではない。例えば、名刺入れ部５の他面側または両面側に名刺固定ベルト５１が取り付けられていてもよい。
【００４６】
また更に、本実施形態では、紙幣カバー部２の長さ方向両端部に、固定部材としてホック６が取り付けられた例を示したが、本考案はこれに限定されるものではなく、紙幣カバー部２の長さ方向一半部および長さ方向他半部を固定することができるものであればよい。
例えば、固定部材としてボタンやマジックテープ等が取り付けられていてもよい。
【産業上の利用可能性】
【００４７】
本考案は、手軽に携帯しやすく、かつ、製造コストを抑えることができる札入れを提供するため、札入れの製造、販売に寄与するので、産業上の利用可能性を有する。
【符号の説明】
【００４８】
２  紙幣カバー部
３  紙幣挟着クリップ部
４  紙幣収納ポケット部
４ａ  下端部
４ｂ  外側端部
５  名刺入れ部  
６  ホック（固定部材）
１０  札入れ
２１  折曲部
３１  固定部
３２  押圧部
５１  名刺固定ベルト
５２  折り目部
２１１  貫通穴
２１２  凹部
３１１  Ｊ字状係合片部
３１２  直線部
３１３  Ｕ字状係合片部
３２１  押圧片部
【図１】
0003171228.tif 000003
【図２】
0003171228.tif 000004
【図３】
0003171228.tif 000005
【図４】
0003171228.tif 000006